(57)【要約】【課題】  ビニールハウスに展設されるシートに強風や地震などに起因する引っ張り力が作用しても、支持フレーム内からコイルスプリングとシートが跳び出すことを未然に阻止する。【解決手段】  支持フレーム１と、この支持フレーム１に分離可能に嵌装されるコイルスプリング２とを有し、支持フレーム１が断面をＶ字状にする一つまたは複数の溝Ａと、この溝Ａの上端から内側に向けて延びる一対の係止部６，７とを有し、この一対の係止部６，７間たる開口部Ｂの巾をコイルスプリング２の外径より小さくし、溝Ａ内にコイルスプリング２と共に嵌装したシートＳを一対の係止部６，７の下面とコイルスプリング２の外周とで挟持してなる。【選択図】  図２
2009142264.tif 000002
【特許請求の範囲】
【請求項１】
支持フレームと、この支持フレームに分離可能に嵌装されるコイルスプリングとを有してなるシートの定着装置において、上記の支持フレームが断面をＶ字状にする一つまたは複数の溝と、この溝の上端から内側に向けて延びる一対の係止部とを有し、この一対の係止部間たる開口部の巾を上記のコイルスプリングの外径より小さくし、上記の溝内に上記のコイルスプリングと共に嵌装したシートを上記の一対の係止部の下面と上記のコイルスプリングの外周とで挟持してなることを特徴とするシートの定着装置。
【請求項２】
支持フレームと、この支持フレームに分離可能に嵌装されるコイルスプリングとを有してなるシートの定着装置において、上記の支持フレームが断面をＶ字状にする一つまたは複数の溝と、この溝の上端から内側に向けて延びる一対の係止部と、この一対の係止部に連続するジョイント引掛け部とを有し、上記の一対の係止部間たる開口部の巾を上記のコイルスプリングの外径より小さくし、上記の溝内に上記のコイルスプリングと共に嵌装したシートを上記の一対の係止部の下面と上記のコイルスプリングの外周とで挟持してなることを特徴とするシートの定着装置。
【請求項３】
支持フレームと、この支持フレームに分離可能に嵌装されるコイルスプリングとを有してなるシートの定着装置において、上記の支持フレームが断面をＶ字状にする一つまたは複数の溝と、この溝の上端から内側に向けて延びる一対の係止部と、この一対の係止部に連続するカール部と、このカール部に連続するジョイント引掛け部とを有し、上記の溝が底部と、この底部の両側から斜め外側に向けて起立する一対の傾斜部と、この一対の傾斜部から内側に向けて延びる上記の一対の係止部とで区画され、上記の一対の係止部間たる開口部の巾を上記のコイルスプリングの外径より小さくし、上記の溝内に上記のコイルスプリングと共に嵌装したシートを上記の一対の係止部の下面と上記のコイルスプリングの外周とで挟持してなることを特徴とするシートの定着装置。
【請求項４】
支持フレームと、この支持フレームに分離可能に嵌装されるコイルスプリングとを有してなるシートの定着装置において、上記の支持フレームが基台と、この基台の上部に形成されて断面をＶ字状にする一つまたは複数の溝と、この溝の上端から内側に向けて延びる一対の係止部とを有し、上記の溝が底部と、この底部の両側から斜め外側に向けて起立する一対の傾斜部と、この一対の傾斜部から内側に向けて延びる上記の一対の係止部とで区画され、上記一対の係止部間たる開口部の巾を上記のコイルスプリングの外径より小さくし、上記の溝内に上記のコイルスプリングと共に嵌装したシートを上記の一対の係止部の下面と上記のコイルスプリングの外周とで挟持してなることを特徴とするシートの定着装置。
【請求項５】
支持フレームと、この支持フレームに分離可能に嵌装されるコイルスプリングとを有してなるシートの定着装置において、上記の支持フレームが基台と、この基台の上部に形成されて断面をＶ字状にする一つまたは複数の溝と、この溝の上端から内側に向けて延びる一対の係止部と、この一対の係止部に連続するジョイント引掛け部とを有し、上記の溝が底部と、この底部の両側から斜め外側に向けて起立する一対の傾斜部と、この一対の傾斜部から内側に向けて延びる上記の一対の係止部とで区画され、上記一対の係止部間たる開口部の巾を上記のコイルスプリングの外径より小さくし、上記の溝内に上記のコイルスプリングと共に嵌装したシートを上記の一対の係止部の下面と上記のコイルスプリングの外周とで挟持してなることを特徴とするシートの定着装置。
【請求項６】
支持フレームと、この支持フレームに分離可能に嵌装されるコイルスプリングとを有してなるシートの定着装置において、上記の支持フレームが任意の断面形状を有する一方フレームと、この一方フレームに軸線方向を同じにしながらこの一方フレームの任意の箇所に一体に連設される一つまたは複数の他方フレームを有し、この他方フレームが断面をＶ字状にする溝を有し、この溝が上端から内側に向けて延びる一対の係止部を有し、この一対の係止部間たる開口部の巾を上記のコイルスプリングの外径より小さくし、上記の溝内に上記のコイルスプリングと共に嵌装したシートを上記の一対の係止部の下面と上記のコイルスプリングの外周とで挟持してなることを特徴とするシートの定着装置。
【請求項７】
断面をＶ字状にする溝内に一つまたは二つのコイルスプリングを上下二段に嵌装し、各コイルスプリングの外周と上記の溝における上記の一対の係止部の下面とで上下二段にシートを挟持してなる請求項１，請求項２，請求項３，請求項４，請求項５または請求項６に記載のシートの定着装置。
【請求項８】
断面をＶ字状にする溝内に二つのコイルスプリングを上下二段に嵌装し、下方側となるコイルスプリングの線体間の隙間内に上方側となるコイルスプリングの線体を噛み込ませてなる請求項１，請求項２，請求項３，請求項４，請求項５または請求項６に記載のシートの定着装置。
【発明の詳細な説明】
【技術分野】
【０００１】
この発明は、シートの定着装置に関し、特に、ビニールハウスにおける壁面や屋根面を形成するためにビニールハウスにおける骨組にシートを展設する際の利用に向くシートの定着装置の改良に関する。
【背景技術】
【０００２】
ビニールハウスにおける壁面や屋根面を形成するためにビニールハウスにおける骨組にシートを展設する際の利用に向くシートの定着装置としては、これまでに種々の提案がある。
【０００３】
その中で、たとえば、特許文献１および特許文献２に開示の提案にあっては、シートの定着装置が支持フレームと、この支持フレームに分離可能に嵌装されるコイルスプリングとを有してなる。
【０００４】
すなわち、支持フレームは、凡そこの種のフレームがそうであるように、長尺に形成され、長尺となる軸線方向を横切る方向の横断面にあって、たとえば平坦な底部と、この底部の両端から上方に立ち上がる左右の湾曲壁部と、この左右の湾曲壁部の上端からそれぞれ外側に折り曲げられる左右のカール部とを有してなる。
【０００５】
そして、この支持フレームにあって、左右の湾曲壁部の上端間に形成されてコイルスプリングの出入口となる開口部がコイルスプリングの外径より小さく形成されると共に、左右の湾曲壁部の言わば本体部で形成されて上記の開口部に連続する内空部たる溝が断面をほぼ円状にしてコイルスプリングの嵌装を許容してなる。
【０００６】
一方、コイルスプリングは、多くの場合に、支持フレームとほぼ同等の長さを有しながら適宜の弾性を有する線径で任意のピッチに巻かれて形成されてなる。
【０００７】
それゆえ、上記の支持フレームとコイルスプリングからなるシートの定着装置にあっては、支持フレーム上に載置されるシートをコイルスプリングと共に支持フレームの溝内に押し込むように嵌装するとき、コイルスプリングが支持フレームの溝内から抜け出ないこともあって、シートが支持フレームの溝内から簡単に抜け出ない。
【０００８】
したがって、この特許文献１および特許文献２に開示のシートの定着装置にあっては、支持フレームをビニールハウスにおける骨組にビス利用などの適宜の手段で固着すると共に、この支持フレームの溝にコイルスプリングごとシートを嵌装することで、支持フレームにシートを定着させ、ビニールハウスにおける壁面や屋根面を形成することが可能になる。
【特許文献１】実公昭５１‐２３５５８号公報（実用新案登録請求の範囲，公報第１頁右２欄第９行から同第２０行の記載，第１図から第４図参照）
【特許文献２】実公昭５３‐３４２７５号公報（公報第１頁右２欄第２０行から同第２８行の記載，第６図参照）
【発明の開示】
【発明が解決しようとする課題】
【０００９】
しかしながら、上記した特許文献１および特許文献２に開示のシートの定着装置にあっては、コイルスプリングをシートと共に支持フレームの溝内に嵌装させて支持フレームにシートを定着させる点で基本的に不具合がある訳ではないが、利用の実際にあって、些かの不具合があると指摘される可能性がある。
【００１０】
すなわち、上記した特許文献１および特許文献２に開示のシートの定着装置にあっては、たとえば、無風状態でシートに風圧が作用しない場合や、ビニールハウスに振動などが作用しない場合には、シートにこれを支持フレームの溝内から引っ張り出すような抜け方向の力が作用しないので、シートが支持フレームの溝内から抜け出ることはない。
【００１１】
しかし、台風などに起因する強風が直接シートに作用したり、地震に起因する振動がビニーハウスに作用することでシートに引っ張り荷重が作用したりすると、支持フレームを挟む両側方向からシートを引っ張る外力がシートに作用することになり、シートが支持フレームの開口部方向に浮き上がろうとする。
【００１２】
このとき、支持フレームの開口部の巾は、コイルスプリングの外径より小さいが、支持フレームにおける左右の湾曲壁部の上部は、シートの引っ張り力で外方に引っ張られ、その結果、開口部が拡径し、しかも、左右の湾曲壁部の上部は彎曲したまま直接上方に開放されているため、コイルスプリングがこの拡径傾向になる開口部からシートと共に上方に跳び出す危惧がある。
【００１３】
この発明は、上記した現状を鑑みて創案されたものであって、その目的とするところは、ビニールハウスに展設されるシートに強風や地震などに起因する引っ張り力が作用しても、支持フレーム内からコイルスプリングとシートが跳び出すことを未然に阻止して、その汎用性の向上を期待できるシートの定着装置を提供することである。
【課題を解決するための手段】
【００１４】
上記した目的を達成するために、この発明によるシートの定着装置の構成を、支持フレームと、この支持フレームに分離可能に嵌装されるコイルスプリングとを有してなるシートの定着装置において、上記の支持フレームが断面をＶ字状にする一つまたは複数の溝と、この溝の上端から内側に向けて延びる一対の係止部とを有し、この一対の係止部間たる開口部の巾を上記のコイルスプリングの外径より小さくし、上記の溝内に上記のコイルスプリングと共に嵌装したシートを上記の一対の係止部の下面と上記のコイルスプリングの外周とで挟持してなるとする。
【００１５】
同じく、支持フレームと、この支持フレームに分離可能に嵌装されるコイルスプリングとを有してなるシートの定着装置において、上記の支持フレームが断面をＶ字状にする一つまたは複数の溝と、この溝の上端から内側に向けて延びる一対の係止部と、この一対の係止部に連続するジョイント引掛け部とを有し、上記の一対の係止部間たる開口部の巾を上記のコイルスプリングの外径より小さくし、上記の溝内に上記のコイルスプリングと共に嵌装したシートを上記の一対の係止部の下面と上記のコイルスプリングの外周とで挟持してなるとする。
【００１６】
同じく、支持フレームと、この支持フレームに分離可能に嵌装されるコイルスプリングとを有してなるシートの定着装置において、上記の支持フレームが断面をＶ字状にする一つまたは複数の溝と、この溝の上端から内側に向けて延びる一対の係止部と、この一対の係止部に連続するカール部と、このカール部に連続するジョイント引掛け部とを有し、上記の溝が底部と、この底部の両側から斜め外側に向けて起立する一対の傾斜部と、この一対の傾斜部から内側に向けて延びる上記の一対の係止部とで区画され、上記の一対の係止部間たる開口部の巾を上記のコイルスプリングの外径より小さくし、上記の溝内に上記のコイルスプリングと共に嵌装したシートを上記の一対の係止部の下面と上記のコイルスプリングの外周とで挟持してなるとする。
【００１７】
同じく、支持フレームと、この支持フレームに分離可能に嵌装されるコイルスプリングとを有してなるシートの定着装置において、上記の支持フレームが基台と、この基台の上部に形成されて断面をＶ字状にする一つまたは複数の溝と、この溝の上端から内側に向けて延びる一対の係止部とを有し、上記の溝が底部と、この底部の両側から斜め外側に向けて起立する一対の傾斜部と、この一対の傾斜部から内側に向けて延びる上記の一対の係止部とで区画され、上記一対の係止部間たる開口部の巾を上記のコイルスプリングの外径より小さくし、上記の溝内に上記のコイルスプリングと共に嵌装したシートを上記の一対の係止部の下面と上記のコイルスプリングの外周とで挟持してなるとする。
【００１８】
同じく、支持フレームと、この支持フレームに分離可能に嵌装されるコイルスプリングとを有してなるシートの定着装置において、上記の支持フレームが基台と、この基台の上部に形成されて断面をＶ字状にする一つまたは複数の溝と、この溝の上端から内側に向けて延びる一対の係止部と、この一対の係止部に連続するジョイント引掛け部とを有し、上記の溝が底部と、この底部の両側から斜め外側に向けて起立する一対の傾斜部と、この一対の傾斜部から内側に向けて延びる上記の一対の係止部とで区画され、上記一対の係止部間たる開口部の巾を上記のコイルスプリングの外径より小さくし、上記の溝内に上記のコイルスプリングと共に嵌装したシートを上記の一対の係止部の下面と上記のコイルスプリングの外周とで挟持してなるとする。
【００１９】
同じく、支持フレームと、この支持フレームに分離可能に嵌装されるコイルスプリングとを有してなるシートの定着装置において、上記の支持フレームが任意の断面形状を有する一方フレームと、この一方フレームに軸線方向を同じにしながらこの一方フレームの任意の箇所に一体に連設される一つまたは複数の他方フレームを有し、この他方フレームが断面をＶ字状にする溝を有し、この溝が上端から内側に向けて延びる一対の係止部を有し、この一対の係止部間たる開口部の巾を上記のコイルスプリングの外径より小さくし、上記の溝内に上記のコイルスプリングと共に嵌装したシートを上記の一対の係止部の下面と上記のコイルスプリングの外周とで挟持してなるとする。
【００２０】
上記の各構成において、断面をＶ字状にする溝内に一つまたは二つのコイルスプリングを上下二段に嵌装し、各コイルスプリングの外周と上記の溝における上記の一対の係止部の下面とで上下二段にシートを挟持してなるとしても良い。
【００２１】
また、断面をＶ字状にする溝内に二つのコイルスプリングを上下二段に嵌装し、下方側となるコイルスプリングの線体間の隙間内に上方側となるコイルスプリングの線体を噛み込ませてなるとしても良い。
【発明の効果】
【００２２】
この発明によれば、支持フレームの溝における開口部の巾がコイルスプリングの外径より小さく、シートが支持フレームの開口部を形成する一対の係止部の下面とコイルスプリングの外周との間に挟持されるから、シートが支持フレームの溝内にしっかりと定着され、外部に飛び出すのが防止される。
【００２３】
しかも、シートが一対の係止部の下面とコイルスプリングの外周とで均一に挟持されるから、シートにおける皺の発生が防止される。
【００２４】
同じく、溝が断面Ｖ字状に形成されるから、この溝内に開口部を介して縮径されながら嵌装されたコイルスプリングが自己復元力で拡径しながら上方に移動して一対の係止部の下面に圧接するから、コイルスプリングが抜けなくなり、シートを確実に定着できる。
【００２５】
同じく、係止部が左右一対に設けられているから、ビニールハウスの屋根面等に展張されているシートの表面に台風等の強風時に風圧が作用してこのシートにバタツキがあって引っ張り力を発生させたり、または、地震その他の外力でビニールハウスが歪んだり、振動が発生してその外力でシートに引っ張り力を発生させて支持フレームの開口部を拡径させる状況になっても、コイルスプリングが一対の係止部の下面に圧接して開口部からコイルスプリングとシートが外部に飛び出すのを防止する。
【００２６】
同じく、Ｖ字状の溝を複数とすることで、各溝に別々に透明シートや網目シートを定着でき、たとえば、一方のシートを透光用のシートとして利用し、他方のシートを換気用または防虫用のネットとして利用できる。
【００２７】
同じく、支持フレームが一方フレームに一つまたは複数の他方フレームを有し、他方フレームがＶ字状の溝を有することで、たとえば、一方フレームを透光用シートの定着用とし、他方フレームを透光用シートの定着用とするのはもちろんのこと、換気用シートの定着用、あるいは、防虫ネットの定着用に利用できる。
【００２８】
請求項２，請求項３，請求項５，請求項７および請求項８の発明によれば、ジョイント引掛け部を備えているから、このジョイント引掛け部を介して支持フレームをビニールハウスのアーチパイプ等の骨組みに結合できる。
【００２９】
請求項７および請求項８の発明によれば、コイルスプリングを上下２段に嵌合することにより、一つの溝内に二枚のシートを重ねて定着でき、シートの重ね張りによるシート間の断熱用の空気層を形成でき、あるいは、同じ溝内に透光用のシートと防虫用のシートを重ね張りできる。
【発明を実施するための最良の形態】
【００３０】
以下に、図示した実施形態に基づいて、この発明を説明するが、この発明によるシートの定着装置は、図１に示すように、ビニールハウスにおける壁面や屋根面を形成するためにビニールハウスにおける骨組にシートＳを展設する際の利用に向く。
【００３１】
もっとも、この発明が意図するところを勘案すると、すなわち、ビニールハウスにおいて、凡そシートＳ類の展設の際に利用するとの観点からすると、上記のビニールハウスにおける壁面や屋根面を形成するためにビニールハウスにおける骨組にシートＳを展設する場合だけに限られず、たとえば、ビニールハウスにおける換気用開口（図示せず）を開閉可能に閉塞する覆いシート（図示せず）を垂設する場合や、同じく換気用開口に防虫ネットＮを展設する場合に、単独で、あるいは、上記のシートＳを展設する際に併せて利用されても良いことはもちろんである。
【００３２】
ところで、ビニールハウスを形成する骨組みは、自己支持性を有するのはもちろんのこと、所定の敷地などに立設された以降も、強風などで倒壊しないように形成されるのが常態で、適宜の型材などからなる柱や梁，桁で壁面を形成すると共に同じく適宜の型材で屋根面を形成し、要する場合に、牽引材や斜材などの補強材が併用される。
【００３３】
ちなみに、ビニールハウスにおける屋根は、図示する切妻形に形成される他、アーチ形に形成されることがあり、屋根がアーチ形に形成される場合には、図示しないが、いわゆる左右の柱部の上端にアーチ部を一体にあるいは連結で連続させたパイプ体からなるアーチ支柱が利用されるが、このアーチ支柱が利用されるビニールハウスにあっても、この発明によるシートの定着装置が利用されて良いことはもちろんである。
【００３４】
そして、上記のようにして形成された骨組における要所要所にこの発明によるシートの定着装置を構成する支持フレーム１が固定的に連結されるが、この支持フレーム１は、後述する溝Ａを有する限りには、任意に形成されて良く、図１乃至図６に示すところでは、一枚の帯状の鋼板をプレス加工して成形され、図７乃至図１０に示すところでは、アルミ材を押し出し成形して形成されてなるとしている。
【００３５】
また、図１１乃至図１３および図１４乃至図１８に示すところでも、支持フレーム１（図１４乃至図１８において符示せず）がプレス加工で形成されてなるとするが、これに代えて、押し出し成形されてなるとしても良く、また、合成樹脂材で射出成形されてなるとしても良い。
【００３６】
なお、支持フレーム１が、たとえば、プレス加工で成形されてなる場合には、図１１に示すように、ビスＹの利用で骨組に固着されるとしても良いが、押し出し成形されてなる場合には、図１，図３，図５，図６，図８乃至図１０および図１３に示すように、専用のジョイントＪが利用されるが良く、このジョイントＪは、ビニールハウスにおける骨組を柱と共に形成する間柱としての支柱Ｐ(図１,図３，図５，図６，図８乃至図１０および図１３参照)や、図示しないが、前記したアーチ支柱などに保持される。
【００３７】
なお、支持フレーム１がプレス加工で成形される場合にも、上記のジョイントＪの利用が妨げられる訳ではないのはもちろんである。
【００３８】
このような前提の下に、この発明によるシートの定着装置を説明するが、この発明によるシートの定着装置は、図１，図２乃至図６および図１１乃至図１３に示すように、支持フレーム１と、この支持フレーム１に分離可能に嵌装されるコイルスプリング２とを有してなるのを基本とする。
【００３９】
なお、図７乃至図１０に示すところでは、この発明によるシートの定着装置を構成する支持フレームが、上記したプレス加工で成形された支持フレーム１からなるのに代えて、押し出し成形された支持フレーム５０からなり、この支持フレーム５０に形成の溝Ａにコイルスプリング２がシートＳと共に嵌装される。
【００４０】
また、図５は、図２および図３に示すところで支持フレーム１における溝Ａを一つとするところに代えて、溝Ａを二つ設けたもので、図６は、溝Ａを三つ設けたものである。
【００４１】
同様に、図７および図８乃至図１０は、支持フレーム１に代えて、支持フレーム５０における場合を示すもので、図７（ａ）および図８は、支持フレーム５０における溝Ａを一つとするが、図７（ｂ）および図９は、溝Ａを二つとし、図７（ｃ）および図１０は、溝Ａを三つとしたものである。
【００４２】
それゆえ、以下には、便宜上、支持フレームがプレス加工で成形された支持フレーム１にからなるとして説明し、必要なときに、支持フレームが押し出し成形された支持フレーム５０からなるとして説明する。
【００４３】
すなわち、このシートの定着装置にあって、支持フレーム１は、断面をＶ字状にする一つ溝Ａ（図２，図３および図４（ａ）参照）と、または、複数の溝Ａ（図４（ｂ），（ｃ）参照）と、この溝Ａの上端から内側に向けて延びる一対の係止部６，７とを有し、この一対の係止部６，７間たる開口部Ｂの巾をコイルスプリング２の外径より小さくしてなる。
【００４４】
それゆえ、この支持フレーム１にあっては、たとえば、図１１で例示するようにして、溝Ａ内にコイルスプリング２と共にシートＳを嵌装するとき、図３乃至図６に示すように、溝Ａ内にあってシートＳを一対の係止部６，７の下面とコイルスプリング２の外周とで挟持して、シートＳを溝Ａ内に定着させることが可能になる。
【００４５】
このシートの定着装置にあって、支持フレーム１が、図２，図３および図４（ａ）あるいは図１１乃至図１３に示すように、一つの溝Ａだけでなく、図４（ｂ），（ｃ）に示すように、複数の溝Ａを有してなるのは、このシートの定着装置によるシートＳの定着に併せて、前記した覆いシートや防虫ネットＮ（図１および図１１乃至図１３参照））の定着も可能にし得るようにするためである。
【００４６】
この支持フレーム１が溝Ａを一つだけでなく複数有することは、図７乃至図１０に示すように、支持フレーム５０にあっても同様であるが、この支持フレーム５０にあっては、上記の一対の係止部６，７は、係止部３４，３５とされている。
【００４７】
そして、この図７乃至図１０に示す溝Ａにあっても、一対の係止部３４，３５間たる開口部Ｂの巾をコイルスプリング２の外径より小さくしているのはもちろんである。
【００４８】
ちなみに、上記した一対の係止部６，７は、図示するところでは、溝Ａの上端から内側に向けて水平に延びるとしているが、この一対の係止部６，７が機能するところを勘案すると、一対の係止部６，７の先端が適宜の角度を有してやや下方に向けて倒れるようになるほぼ水平に延びるとしても良いことはもちろんである。
【００４９】
ところで、図示するところにあって、上記の支持フレーム１は、その横巾を従来から提案されている開口部巾狭の蟻溝フレーム（図示せず）の横巾と同じにすると共に、この横巾方向の外形を上記の蟻溝フレームの外形と同じにするとしている。
【００５０】
すなわち、上記の支持フレーム１は、適宜の手段でビニールハウスにおける骨組に連結されるが、このとき、前記したように、ビスＹの利用で骨組に固着される他、ビニールハウスを建てる際の作業を迅速容易にし得ることから、専用のジョイントＪを利用することを提案している。
【００５１】
そこで、このシートの定着装置にあっては、支持フレーム１の横巾を上記した従来から提案されている開口部巾狭の蟻溝フレームの横巾と同じにすると共に、この横巾方向の外形を上記の蟻溝フレームの外形と同じにするとして、従来から利用されている専用のジョイントＪの利用を可能にするとしている。
【００５２】
そして、上記の支持フレーム１にあって、溝Ａは、図２，図３および図４乃至図６に示すように、平坦な底部３と、この底部３の両端から拡径するように斜め上方に延びる一対の傾斜部４，５とによって断面がＶ字状になるように区画、すなわち、形成されている。
【００５３】
ちなみに、この発明にあって、溝Ａは、断面がＶ字状になるように形成されていれば足り、したがって、上記の底部３は、これが平担部からなるのに代えて、図示しないが、湾曲部からなるとし、また、この湾曲部が上面を凹面としても良く、凸面としても良い。
【００５４】
そして、この溝Ａは、上記の一対の傾斜部４，５の上端から内側に向けて水平に延びる一対の係止部６，７を有し、この一対の係止部６，７間たる開口部Ｂの巾をコイルスプリング２の外径より小さくしているのは、前記した通りである。
【００５５】
そしてまた、図示する支持フレーム１にあっては、上記の一対の係止部６，７の端部から外側に向けて折り返される一対のカール部８，８と、この一対のカール部８，８に連設されながら上記の一対の傾斜部４，５の外周側で折り曲げられた一対のジョイント引掛け部９，９とを有してなる。
【００５６】
そして、この支持フレーム１にあっては、一対のジョイント引掛け部９，９に前記した骨組に連結されたジョイントＪを嵌合状態に連結させるとしている。
【００５７】
なお、一対のカール部８，８は、シートＳを溝Ａ内に嵌装した状態で折り曲げるとき、その折り曲げ部分が角度を有することで破断し易くなることをあらかじめ回避する。
【００５８】
一方、支持フレーム５０にあっては、図７および図８乃至図１０に示すように、押し出し成形で形成された基台３０の上部に溝Ａを形成し、この溝Ａの上端から内側に向けて水平に延びる一対の係止面からなる係止部３４，３５を有してなるのは前記した通りである。
【００５９】
そして、溝Ａは、平坦面からなる底部３１と、この底部３１の両端から拡径するように斜め上方に延びる一対の傾斜面からなる傾斜部３２，３３とによって断面がほぼＶ字状に区画、すなわち、形成されている。
【００６０】
そしてまた、この支持フレーム５０にあっては、上記の一対の係止部３４，３５から外側に向けて折り返される一対のカール面からなるカール部８，８（図７（ａ）参照）と、この一対のカール部８，８に連設されながら上記の一対の傾斜部３２，３３の外周側に形成される一対の折り曲げ面からなる一対のジョイント引掛け部９，９とを有してなる。
【００６１】
以上が、この発明によるシートの定着装置における基本的な特徴であるが、その他に、支持フレーム１における横巾と座高は、図中で同じに形成されているが、必ずしも同じでなくても良い。
【００６２】
特に、支持フレーム１が一つの溝Ａを有する場合と、複数の溝Ａを有する場合とで、横巾を同じにするとなると、溝Ａの大きさが前者と後者とでは、異なることになる。
【００６３】
そして、支持フレーム１が一つの溝Ａを有する場合と、複数の溝Ａを有する場合とで、横巾を異にする場合には、溝Ａの大きさを前者と後者とで、同じにすることが可能になる。
【００６４】
また、図示する実施形態において、支持フレーム１は、ジョイント用引掛け部９，９を備えているが、支持フレーム１を骨組に連結するのにあって、ビスＹを利用する場合には、このジョイント用引掛け部９，９は、不要であることもちろんである。
【００６５】
つまり、この発明のシート定着装置において、支持フレーム１は、最低限、開口部Ｂを巾狭にする断面Ｖ字状の溝Ａと、この開口部Ｂを形成する左右一対の係止部６，７とを有すると共に、コイルスプリング２がその外径を開口部Ｂの巾より大きくすれば良い。
【００６６】
以上のように形成されたこの発明によるシートの定着装置にあっては、以下のようにして、すなわち、コイルスプリング２の利用下にシートＳを支持フレーム１に定着させる。
【００６７】
すなわち、先ず、支持フレーム１は、ビニールハウスにおける骨組にビスYを利用するなどの適宜の手段で連結されるが、好ましく、前記したように、従来から使用されている専用の連結具たるジョイントＪが利用されるの良い。
【００６８】
このとき、ビニールハウスにおける壁面や屋根面を形成する骨組たる適宜の型材に先んじて連結されたジョイントＪの爪を支持フレーム１におけるジョイント引掛け部９，９に引掛けるようにして連結し、支持フレーム１をビニールハウスにおける骨組に連結させる。
【００６９】
つぎに、支持フレーム１がビニールハウスにおける骨組に連結されている状態で、この支持フレーム１上にシートＳを載置するようにして展張すると共に、この支持フレーム１上に展張のシートＳの上にコイルスプリング２を載置し、このコイルスプリング２にシートＳを巻き付けるようにしながらシートＳごとコイルスプリング２を支持フレーム１の溝Ａ内に押し込む、すなわち、嵌装する。
【００７０】
その結果、溝Ａの開口部Ｂの巾がコイルスプリング２外径より小さく、溝Ａ内に押し込まれたシートＳが上記の開口部Ｂを形成する一対係止部６，７の下面とコイルスプリング２の外周との間に挟持されるから、シートＳが支持フレーム１の溝Ａ内にしっかりと定着され、外部に飛び出すのが防止される。
【００７１】
このとき、シートＳは、一対となる係止部６，７の下面とコイルスプリング２の外周とで均一に押え込まれるので、シートＳに皺が発生するのが効果的に防止される。
【００７２】
特に、注目すべきは、溝Ａが断面Ｖ字状に形成されているから、この溝Ａの下方まで開口部Ｂ側からコイルスプリング２を縮径しながら押し込んで嵌合したとき、このコイルスプリング２が自己復元力で拡径しながら上方に移動して係止部６，７の下面に圧接するようになる。
【００７３】
このため、シートＳは、係止部６，７の下面とコイルスプリング２の外周とで挟持され、かつ、コイルスプリング２が一対の係止部６，７に係止されて外部に抜けなくなり、シートＳを溝Ａ内に確実に定着できる。
【００７４】
とのとき、コイルスプリング２が溝Ａの平坦部や凹面あるいは凸面を有する湾曲部からなる底部３に干渉するようになっても良い。
【００７５】
ところで、コイルスプリング２は、開口部Ｂから手動または治具を利用して溝Ａ内に強制的に押し込まれるが、この押し込みの際の押圧力でコイルスプリング２が長手方向に延ばされ、したがって、外径が開口部Ｂの巾寸より瞬間的に小さくされるために、開口部Ｂを容易に通過して溝Ａ内に嵌装される。
【００７６】
他方、溝Ａ内に長手方向に延ばされながら嵌装されたコイルスプリング２は、自己復元力で膨径しながら一対の傾斜部４，５に沿って上方に移動するが、このとき、コイルスプリング２の外径は、上記の延ばされる前の元の寸法に戻るようになり、したがって、この寸法が開口部Ｂの巾より大きいため、コイルスプリング２がシートＳを挟んだ状態で係止部６，７に押し付けられるようになる。
【００７７】
また、ビニールハウスの壁面や屋根面に展設されているシートＳの表面に台風などに起因する強風が作用し、したがって、シートＳがバタツクなどして、シートＳに対して図３中において左右となる引っ張り力が発生したり、または、地震などに起因する外力作用でビニールハウスが歪んだり、振動したりして、シートＳに上記の同様の引っ張り力を発生したりする場合には、溝Ａを形成する一対の傾斜部４，５が上記と同方向に変形して、溝Ａの開口部Ｂを拡径することが考えられる。
【００７８】
しかし、この場合においても、この発明における支持フレーム１にあっては、シートＳが溝Ａ内にあって一対の係止部６，７の下面と復元力を具有して膨径するようになるコイルスプリング２の外周との間に挟持されるから、このシートＳが開口部Ｂ介して外部に飛び出すのが防止される。
【００７９】
上記したところ、すなわち、ビニールハウスを形成する骨組への支持フレーム１の連結、また、この骨組に連結の支持フレーム１に対するコイルスプリング２を利用するシートＳの定着、そして、その作用効果については、支持フレーム１が支持フレーム５０とされる場合であっても同様である。
【００８０】
ところで、この発明のシートの定着装置にあっては、図１１乃至図１３に示すように、支持フレーム１の溝Ａ内に上下二つとなるコイルスプリング２，２を嵌装することで、上方の一のシートＳと下方の二のシートたる防虫ネットＮの溝Ａ内への定着、すなわち、言わば二枚のシートの重ね張りを可能にし得る。
【００８１】
この場合、上下となるコイルスプリング２，２は、溝Ａ内にあって、シートＳを介して外周を接触させる状態に嵌装されるとしても良いが、図示するように、シートＳを介在させた状態で、上下のコイルスプリング２における線体間に相手方となるコイルスプリング２における線体を入り込ませるようにした状態で嵌装されるのが良い。
【００８２】
図１４乃至図１７は、支持フレーム１（符示せず）の他の実施形態を示し、これらは、前記した各実施形態の支持フレーム１と同様に、一つの溝Ａを有し（図１４参照）、あるいは、二つの溝Ａを有し（図１５参照）、または、三つの溝Ａを有し（図１６参照）、さらには、一つの溝Ａを有しながら溝Ａを除く他部に変形を加えた（図１７参照）ものである。
【００８３】
図１８は、支持フレーム１（符示せず）が任意の断面形状を有する一方フレーム１ａと、この一方フレーム１ａに軸線方向を同じにしながらこの一方フレーム１ａの任意の箇所に一体に連設される一つまたは複数の他方フレーム１ｂを有してなる。
【００８４】
すなわち、前記した各実施形態にあっては、支持フレーム１が溝Ａを一つまたは複数有してなるが、この図１８に示すところでは、支持フレーム１を構成する一方フレーム１ａが他方フレーム１ｂを一つまたは複数有すると共に、この一つまたは複数となる他方フレーム１ｂがそれぞれ溝Ａを有してなる。
【００８５】
そして、この他方フレーム１ｂが有する溝Ａは、前記した各実施形態における支持フレーム１が有する溝Ａと同様に断面をＶ字状にしてなる。
【００８６】
そしてまた、このこの他方フレーム１ｂにあって、溝Ａは、前記した各実施形態における溝Ａと同様に、溝Ａの上端から内側に向けて水平に延びる一対の係止部６，７を有し、この一対の係止部６，７間たる開口部Ｂ（符示せず）の巾が、前記した各実施形態における場合と同様に、コイルスプリング２の外径より小さくなるとしている。
【００８７】
このとき、この溝Ａは、底部３と、この底部３の両側から斜め外側に向けて起立する一対の傾斜部４，５と、この一対の傾斜部４，５から内側に向けて水平に延びる上記の一対の係止部６，７とで断面Ｖ字状に区画される。
【００８８】
ところで、上記の一方フレーム１ａは、上記の他のフレーム１ｂと異なり、任意の断面形状を有すれば良く、たとえば、図示するところでは、開口部狭巾で長尺の蟻溝フレームからなるとしている。
【００８９】
この蟻溝フレームは、従来から、前記したジョイントＪを利用してビニールハウスにおける骨組に連結されるもので、平坦な底部ａと、この底部ａから斜め内側に向けて起立する一対の傾斜部ｂ，ｂと、この一対の傾斜部ｂ，ｂの外側面に設定されるジョイント引掛け部ｃ，ｃとを有してなる。
【００９０】
そして、この蟻溝フレームは、上記の他方フレーム１ｂにあって断面Ｖ字状の溝Ａに対するコイルスプリング２と同様の機能を発揮する従来から利用されている係止線状（図示せず）の嵌装を許容するように形成されてなる。
【００９１】
それゆえ、この図１８に示す支持フレーム１にあっても、一方フレーム１ａが蟻溝内に係止線状と共に嵌装したシートＳ（図１参照）あるいはネットＮ（図１参照）を支持フレーム１に定着させことになると共に、他方フレーム１ｂが溝Ａ内にコイルスプリング２と共に嵌装したシートＳあるいはネットＮを一対の係止部６，７の下面とコイルスプリング２の外周とで挟持して、シートＳを支持フレーム１に定着させる。
【００９２】
そして、この支持フレーム１にあって、一方フレーム１ａに複数の他方フレーム１ｂが連設されてなる場合には、各他方フレーム１ｂにシートＳやネットＮなどを定着させることで、支持フレーム１に任意のシート類を定着することが可能になる。
【００９３】
なお、この支持フレーム１にあっても、一方フレーム１ａがあるいは他方フレーム１がそれぞれシートＳあるいはネットＮなどの複数枚を併せてと定着するとしても良いことはもちろんである。
【図面の簡単な説明】
【００９４】
【図１】この発明によるシートの定着装置を利用してシートを展設したビニールハウスを一部切り欠いて示す部分斜視図である。
【図２】この発明によるシートの定着装置がシートを定着させている状態を示す部分斜視図である。
【図３】図２に示すシートを定着させている状態を支持フレームの軸線方向から見る正面図である。
【図４】他の実施形態による支持フレームがシートを定着させている状態を示す図で、（ａ）は支持フレームが溝を一つ有し、（ｂ）は支持フレームが溝を二つ有し、（Ｃ）は支持フレームが溝を三つ有する。
【図５】図４（ｂ）のシートの定着装置の利用状態を示す図である。
【図６】図４（ｃ）のシートの定着装置の利用状態を示す図である。
【図７】他の実施形態による支持フレームがシートを定着させている状態を図４と同様に示す図で、（ａ）は支持フレームが溝を一つ有し、（ｂ）は支持フレームが溝を二つ有し、（Ｃ）は支持フレームが溝を三つ有する。
【図８】図７（ａ）のシートの定着装置の利用状態を示す図である。
【図９】図７（ｂ）のシートの定着装置の利用状態を示す図である。
【図１０】図７（ｃ）のシートの定着装置の利用状態を示す図である。
【図１１】コイルスプリングを上下となる二本とするシートの定着装置の分解斜視図である。
【図１２】図１１のシートの定着装置における利用状態を図２と同様に示す図である。
【図１３】図１１のシートの定着装置における利用状態を図３と同様に示す図である。
【図１４】他の実施形態による支持フレームを示す縦断正面図である。
【図１５】他の実施形態による支持フレームを示す縦断正面図である。
【図１６】他の実施形態による支持フレームを示す縦断正面図である。
【図１７】他の実施形態による支持フレームを示す縦断正面図である。
【図１８】他の実施形態による支持フレームを示す縦断正面図である。
【符号の説明】
【００９５】
１，５０  支持フレーム
２  コイルスプリング
３，３１  底部
４，５，３２，３３  傾斜部
６，７，３４，３５  係止部
８  カール部
９  ジョイント引掛け部
３０  基台
Ａ  溝
Ｂ  開口部
Ｊ  ジョイント
Ｎ  ネット
Ｐ  支柱
Ｓ  シート
Ｙ  ビス
【図１】
2009142264.tif 000003
【図２】
2009142264.tif 000004
【図３】
2009142264.tif 000005
【図４】
2009142264.tif 000006
【図５】
2009142264.tif 000007
【図６】
2009142264.tif 000008
【図７】
2009142264.tif 000009
【図８】
2009142264.tif 000010
【図９】
2009142264.tif 000011
【図１０】
2009142264.tif 000012
【図１１】
2009142264.tif 000013
【図１２】
2009142264.tif 000014
【図１３】
2009142264.tif 000015
【図１４】
2009142264.tif 000016
【図１５】
2009142264.tif 000017
【図１６】
2009142264.tif 000018
【図１７】
2009142264.tif 000019
【図１８】
2009142264.tif 000020